(57)【要約】【課題】炭酸ガスのみを用いて、アルカリ廃水を処理する簡便な装置を提供すること。【解決手段】アルカリ廃水処理装置であって、該装置は、処理槽と炭酸ガスボンベと、炭酸ガスを処理槽に供給するための供給部とからなり、該処理槽は、仕切壁で中和反応槽と貯留槽に二分されており、該仕切壁のほぼ中央部分には、開閉バルブ付の連通管が設けられており、前記貯留槽の仕切壁と異なる壁には、前記連通管よりも下部の位置に開閉バルブ付の排水管が設けられており、前記供給部は、炭酸ガスを前記中和反応槽にバブリングするためのパイプ状部材と、該パイプ状部材を圧力調整器を介して炭酸ガスボンベに連結するための連結部材とから構成されているアルカリ廃水処理装置。【選択図】図１
0003146693.tif 000002
【実用新案登録請求の範囲】
【請求項１】
アルカリ廃水処理装置であって、該装置は、処理槽と炭酸ガスボンベと、炭酸ガスを処理槽に供給するための供給部とからなり、該処理槽は、仕切壁で中和反応槽と貯留槽に二分されており、該仕切壁のほぼ中央部分には、開閉バルブ付の連通管が設けられており、前記貯留槽の仕切壁と異なる壁には、前記連通管よりも下部の位置に開閉バルブ付の排水管
が設けられており、前記供給部は、炭酸ガスを前記中和反応槽にバブリングするためのパイプ状部材と、該パイプ状部材を圧力調整器を介して炭酸ガスボンベに連結するための連結部材とから構成されていることを特徴とするアルカリ廃水処理装置。
【請求項２】
中和反応槽の底部又は底部に近い位置に、開閉バルブ付の排出管が設けられていることを特徴とする請求項１記載のアルカリ廃水処理装置。
【考案の詳細な説明】
【技術分野】
【０００１】
本考案は、炭酸ガスを用いる簡便なアルカリ廃水処理装置に関するものである。
【背景技術】
【０００２】
各種のアルカリ性の廃水（排水）の処理装置としては、従来、色々なタイプのものが知られている。一般的には、アルカリ廃水の入った水槽やタンクに、塩酸や硫酸等の無機酸を投入し攪拌して、廃水を中和するという手法が採用されている。
【０００３】
短時間に効率よく高アルカリ排水を中和処理するために、混合槽や水槽の配置等を工夫し、できるだけコンパクトにした排水のｐＨ中和処理装置も提案されている（特許文献１参照）
。しかしながら、この装置も、炭酸ガスの他に塩酸や硫酸等の無機酸を用いるものであり、装置自体も必ずしも簡便なものではない。
【特許文献１】特開２００８−１９４６５７号公報
【考案の開示】
【考案が解決しようとする課題】
【０００４】
本考案の課題は、従来提案されているものに比べて、より簡便に従ってより安価に、炭酸ガスのみを用いて、アルカリ廃水を処理する装置を提供することにある。
【課題を解決するための手段】
【０００５】
本考案は、アルカリ廃水処理装置であって、該装置は、処理槽と炭酸ガスボンベと、炭酸ガスを処理槽に供給するための供給部とからなり、該処理槽は、仕切壁で中和反応槽と貯留槽に二分されており、該仕切壁のほぼ中央部分には、開閉バルブ付の連通管が設けられており、前記貯留槽の仕切壁と異なる壁には、前記連通管よりも下部の位置に開閉バルブ付の排水管が設けられており、前記供給部は、炭酸ガスを前記中和反応槽にバブリングするためのパイプ状部材と、該パイプ状部材を圧力調整器を介して炭酸ガスボンベに連結するための連結部材とから構成されていることを特徴とするアルカリ廃水処理装置である。
中和反応槽の底部又は底部に近い位置に、開閉バルブ付の排出管が設けられているものが好ましい。
【考案の効果】
【０００６】
本考案のアルカリ廃水処理装置は、従来提案されているものに比べて、より簡便なものであり、従ってより安価に製作することができ、炭酸ガスのみを用いて、各種のアルカリ廃水（排水）を効率よく処理することができる。
【考案を実施するための最良の形態】
【０００７】
本考案を図面を用いて説明する。図１は本考案のアルカリ廃水処理装置の概要を説明するための図である。図１に示した様に、本処理装置は、処理槽１と炭酸ガスボンベ２と、炭酸ガスを処理槽に供給するための供給部３とからなり、該処理槽１は、仕切壁４で中和反応槽５と貯留槽６に二分されており、該仕切壁４のほぼ中央部分には、開閉バルブ付の連通管７が設けられており、前記貯留槽６の仕切壁４と異なる壁８には、前記連通管７よりも下部の位置に開閉バルブ付の排水管９が設けられており、前記供給部３は、炭酸ガスを前記中和反応槽にバブリングするためのパイプ状部材１０と、該パイプ状部材１０を圧力調整器１１を介して炭酸ガスボンベ２に連結するための連結部材１２とから構成されている。
【０００８】
処理槽１の大きさや形状は特に制限されないが、本考案の目的が簡便で安価な処理装置を提供することにあるので、比較的小型でコンパクトなもの、例えば、縦と横が各２００〜３００ｃｍ、高さ（深さ）が１００〜２００ｃｍで、上部が開口した箱形のものが適当である。材質も何ら制限されるものではなく、鉄やステンレス等の金属、あるいはプラスチック成形品を用いることができる。炭酸ガスボンベ２は市販のものがそのまま利用できる。仕切壁４の位置は特に制限されるものではないが、処理槽１を中和反応槽５と貯留槽６にほぼ等分に分ける位置に配置するのが好ましい。中和反応槽５は、この槽に供給されたアルカリ廃水の中和処理を行うための槽であり、貯留槽６は中和反応後の処理水を一時的に貯めるための槽である。仕切壁４は両者の水が混ざらないように配置される壁であり、その高さは特に制限されるものではないが、処理槽１の高さより高い必要はない。なお、アルカリ廃水は、中和反応槽５の上部開口部から任意の方法で中和反応槽５に供給される。アルカリ廃水としては、特に制限はなく、例えば、生コン工場等のアルカリ廃水、コンクリートミキサー車やセメントを使用する建築土木工事で使用した機械器具類の洗浄廃水が挙げられる。
【０００９】
中和反応槽５に供給されたアルカリ廃水には、炭酸ガスが炭酸ガスボンベ２から供給部３を経て供給される。供給部３は、炭酸ガスを前記中和反応槽にバブリング、即ち、泡状に吹き込むためのパイプ状部材１０と、該パイプ状部材１０を圧力調整器１１を介して炭酸ガスボンベ２に連結するための連結部材１２からなっている。パイプ状部材１０は、金属あるいはプラスチック製等のパイプ（管）からなり、管壁に炭酸ガスを廃液中に泡状に吹き込めるように、多数の穴が開けられているものである。連結部材１２は、材質等は特に制限されるものではないが、通常、ゴムやプラスチック製のホースが用いられる。
【００１０】
圧力調整器１１は、特に制限されるものではなく、市販の炭酸ガス用の圧力調整器を用いることができる。炭酸ガスをボンベから気体で取り出す際は、通常、加熱が必要とされるので、圧力調整器１１としてはヒーター付のものが適当である。いずれも市販品として容易に入手できるので、本考案にそのまま利用することができる。圧力調整器１１やパイプ状部材１０は、処理槽１の所定の位置に固定しておいても、あるいは必要に応じて移動可能なように配置しておいてもよい。
【００１１】
中和反応槽５のアルカリ廃水に炭酸ガスをバブリングする時間（中和処理反応時間）は、アルカリ廃水のアルカリ性の程度や処理量、また、炭酸ガスの供給量によって異なるが、通常、３０分から５時間程度である。中和処理反応の終点は、ペーハー測定装置やリトマス試験紙等で簡単に調べることができる。中和処理中の攪拌は炭酸ガスのバブリングで十分であるが、別に攪拌機等を用いて廃液を攪拌してもよい。中和処理反応後は、処理液を適当な時間、例えば、半日ないし一晩静置してアルカリ廃液中の浮遊分散物を沈殿させるのも好ましい。沈殿物を処理槽外に取り出すためには、上部の開口部からすくい取ってもよいが、中和反応槽の底部又は底部に近い位置に、開閉バルブ付の排出管を設けておき、この排出管から槽外に流し出してもよい。取り出された固形物は、産業廃棄物として処理することができる。
【００１２】
その後、上澄み液は、仕切壁４のほぼ中央部分に配置されている開閉バルブ付の連通管７のバルブを開けることによって、貯留槽６に移送される。貯留槽６に移された処理水は、そこに一時的に貯留される。貯留槽６には、仕切壁４と異なる壁、例えば、壁８には、前記連通管７よりも下部の位置に開閉バルブ付の排水管９が設けられているので、適当な時に、排水管９のバルブを開けることによって、貯留されていた処理水を排水路等に排出する。排水管９の位置は、前記連通管７よりも下部の位置である限り、貯留槽６のどの部分にあってもかまわない。処理水を排水路等に排出するのに便利な位置に設ければよい。
【図面の簡単な説明】
【００１３】
【図１】本考案のアルカリ廃水処理装置の概要を説明するための図である。
【符号の説明】
【００１４】
１  処理槽
２  炭酸ガスボンベ
３  炭酸ガスを処理槽に供給するための供給部
４  仕切壁
５  中和反応槽
６  貯留槽
７  開閉バルブ付の連通管
８  壁
９  開閉バルブ付の排水管
１０  パイプ状部材
１１  圧力調整器
１２  連結部材
【図１】
0003146693.tif 000003